(57)【要約】  【課題】  撮影装置が撮影して得られた撮影画像データの画面表示を適切に制御することよって、被撮像者のプライバシーを保護する。  【解決手段】  ボタン１１２から送出されたプライバシー保護指示信号に基づき、リクエストサーバが記憶する雛型画像を、表示制御装置１０２が取得して、監視モニタ群１０７の所定のモニタ上にカメラ１０６が撮影した画像とは異なる雛型画像を表示させて、被撮像者のプライバシーを保護する。【選択図】  図２
2005176228.tif 000002
【特許請求の範囲】
【請求項１】
撮影装置が撮影して得られた撮影画像データをネットワークを介して受信する撮影画像データ受信手段と、受信した撮像データの画面表示を制御する表示制御手段と、を備える表示画像制御装置であって、
前記撮影画像データの画面表示を拒否する拒否要求データを、ネットワークを介して受信する拒否要求データ受信手段を備えて、前記表示制御手段は、前記拒否要求データを受信した場合、前記撮影画像データ受信手段で受信した撮影画像データを画面表示させない非表示制御を行うことを特徴とする表示画像制御装置。
【請求項２】
前記表示制御手段は、前記拒否要求データを受信した場合、前記撮影画像データ受信手段で受信した撮影画像データとは異なる画像データを画面表示することで非表示制御を行うことを特徴とする請求項１記載の表示画像制御装置。
【請求項３】
前記異なる画像データとして、定型画像データを記憶する定型画像データ記憶手段を備えて、前記表示制御手段は、前記拒否要求データを受信した場合、定型画像データ記憶手段が記憶する定型画像データを画面表示することで非表示制御を行うことを特徴とする請求項２記載の表示画像制御装置。
【請求項４】
拒否要求データの受信に応じて、非表示制御を行っていることを知らせる非表示制御通知を前記撮影装置に送信する通知送信手段を備えることを特徴とする請求項１乃至３のいずれか一に記載の表示画像制御装置。
【請求項５】
前記表示制御手段は、非表示制御を行ってから一定期間経過すると、一旦その非表示制御を解除することを特徴とする請求項１乃至４のいずれか一に記載の表示画像制御装置。
【請求項６】
複数の撮影装置が撮影して得られた撮影画像データ群を受信する撮影画像データ受信手段と、受信した撮影画像データ群の画面表示を制御する表示制御手段とを備える表示画像制御装置であって、
前記複数の撮影装置のうち少なくとも一つの撮影装置が指定され、その指定撮影装置が撮影して得られた撮影画像データの画面表示を拒否する拒否要求データを、ネットワークを介して受信する拒否要求データ受信手段を備えて、前記表示制御手段は、前記拒否要求データを受信した場合、その拒否要求データの指定撮影装置から受信した撮影画像データを画面表示させない非表示制御を行うことを特徴とする表示画像制御装置。
【請求項７】
前記表示制御手段は、前記拒否要求データを受信した場合、その拒否要求データの指定撮影装置から受信した撮影画像データとは異なる画像データを画面表示することで非表示制御を行うことを特徴とする請求項６記載の表示画像制御装置。
【請求項８】
前記異なる画像データとして、定型画像データを記憶する定型画像データ記憶手段を備えて、前記表示制御手段は、前記拒否要求データを受信した場合、定型画像データ記憶手段が記憶する定型画像データを画面表示することで非表示制御を行うことを特徴とする請求項７記載の表示画像制御装置。
【請求項９】
拒否要求データの受信に応じて、非表示制御を行っていることを知らせる非表示制御通知を、その拒否要求データの指定撮影装置に送信する通知送信手段を備えることを特徴とする請求項６乃至８のいずれか一に記載の表示画像制御装置。
【請求項１０】
前記表示制御手段は、非表示制御を行ってから一定期間経過すると、一旦その非表示制御を解除することを特徴とする請求項６乃至９のいずれか一に記載の表示画像制御装置。
【請求項１１】
所定の撮影エリアの状況映像を撮影する撮影手段と、撮影手段で撮影して得られた撮影画像データを、ネットワークを介して前記表示装置に送信する撮影画像データ送信手段と、前記表示装置に送信した撮影画像データの前記表示装置への画面表示を拒否する拒否要求データを前記表示装置に送信する拒否要求データ送信手段と、を備える撮影装置。
【請求項１２】
非表示制御を行っていることを知らせる非表示制御通知を表示装置から受信する通知受信手段と、非表示制御通知に応じて、非表示制御中通知を行う非表示制御中通知手段とをさらに備えたことを特徴とする請求項１１記載の撮影装置。
【請求項１３】
前記非制御中通知手段は、ランプ表示にて非表示制御中通知を行うことを特徴とする請求項１２記載の撮影装置。
【請求項１４】
前記非制御中通知手段は、音声出力にて非表示制御中通知を行うことを特徴とする請求項１２記載の撮影装置。
【請求項１５】
複数の撮影装置が撮影して得られた撮影画像データ群を表示装置の画面上にそれぞれ表示する画像表示システムであって、
前記撮影装置は、所定の撮影エリアの状況映像を撮影する撮影手段と、撮影手段で撮影して得られた撮影画像データを、ネットワークを介して前記表示装置に送信する撮影画像データ送信手段と、前記表示装置に送信した撮影画像データの前記表示装置への画面表示を拒否する拒否要求データを送信する拒否要求データ送信手段と、を備え、
前記表示装置は、各撮影装置から送信された撮影画像データ群を、ネットワークを介して受信する撮影画像データ受信手段と、受信した撮影画像データ群の画面表示を制御する画面表示制御手段と、前記撮影装置から前記拒否要求データを受信する拒否要求データ受信手段と、を備えて、前記表示制御手段は、前記拒否要求データを受信した場合、その拒否要求データを送信した撮影装置の撮影画像データを画面表示させない非表示制御を行うことを特徴とする画像表示システム。
【請求項１６】
撮影装置が撮影して得られた撮影画像データを、ネットワークを介して受信する撮影画像データ受信工程と、
受信した撮影画像データの画面表示を制御する表示制御工程と、
を含む表示画像制御方法において、
前記撮影画像データの画面表示を拒否する拒否要求データを、ネットワークを介して受信する拒否要求データ受信工程と、
前記拒否要求データを受信した場合、前記撮影画像データ受信工程で受信した撮影画像データを画面表示させない非表示制御を行う非表示制御工程と、
を含むことを特徴とする表示画像制御方法。
【発明の詳細な説明】
【技術分野】
【０００１】
本発明は、家庭用等の防犯監視装置或いは病院等の監視装置等に用いる表示画像制御装置、特に、撮影装置が撮影して得られた撮影画像データを、ネットワーク等を介して受信して、画面表示の制御を行う表示画像制御装置、画像表示システム並びに表示画像制御方法に関する。
【背景技術】
【０００２】
従来の技術において、カメラ等の撮影装置が撮影した映像を画像データとして、ネットワーク等を介して受信して、その受信した画像データをディスプレイ等に表示する画像表示システムが知られている。
【０００３】
このような画像表示システムの中には、カメラを自宅周辺、繁華街、駐車場、空港ロビー等の防犯対象エリアに設置して、そのカメラとは異なる場所に設置されたディスプレイ上に、そのカメラが撮影した状況映像を表示し監視することで、防犯対策等を行なう画像表示システムも知られている。
【０００４】
また、病院の病室等の観察対象エリアにカメラを設置して、そのカメラの撮影した状況映像を、ナースステーションなど、観察対象エリアの管理を行う場所に設置されたディスプレイ上に表示して、観察エリアの状況を確認することで、緊急時の対応や介護等を行う画像表示システムも知られている。
【発明の開示】
【発明が解決しようとする課題】
【０００５】
しかしながら、上述したような防犯対象エリアや観察対象エリアなどに設置された撮影装置の撮影する状況映像が、常にディスプレイ等に表示してもよい状況映像とは限らない。つまり、例えば、自宅周辺や繁華街などに防犯対策として設置されたカメラの撮影する状況映像の中には、個人のプライバシーに関する映像が含まれることがある。また、病院の病室等に設置されるカメラが撮影する状況映像の中にも、患者等のプライバシーに関わる映像が含まれることがある。
【０００６】
本発明は、上記課題を鑑みてなされたものであり、撮影装置が撮影して得られた撮影画像データの画面表示を適切に制御することよって、被撮像者のプライバシーを保護することを目的とする。
【課題を解決するための手段】
【０００７】
本発明に係る表示画像制御装置は、撮影装置が撮影して得られた撮影画像データを、ネットワークを介して受信する撮影画像データ受信手段と、受信した撮影画像データの画面表示を制御する表示制御手段とを備える表示画像制御装置であって、撮影画像データの画面表示を拒否する拒否要求データを、ネットワークを介して受信する拒否要求データ受信手段を備え、表示制御手段は、拒否要求データを受信した場合、撮影画像データ受信手段で受信した撮影画像データを画面表示させない非表示制御を行うことを特徴とする。
【０００８】
本発明によれば、表示制御手段が、拒否要求データを受信した場合、撮影画像データ受信手段で受信した撮影画像データを画面表示させない非表示制御を行う。これにより、例えば、撮影装置が撮影して得られた撮影画像データを、画面表示することを望まない場合、拒否要求データを送信することで、その撮影画像データを画面表示しないことができる。
【０００９】
本発明に係る表示画像制御装置の一つの態様によれば、表示制御手段は、拒否要求データを受信した場合、撮影画像データ受信手段で受信した撮影画像データとは異なる画像データを画面表示することで非表示制御を行うことを特徴とする。
【００１０】
本発明によれば、表示制御手段が、拒否要求データを受信した場合、撮影画像データ受信手段で受信した撮影画像データとは異なる画像データを画面表示することで非表示制御を行う。これにより、例えば、撮影装置が撮影して得られた撮影画像データの画面表示を望まない場合、指示要求データを送信することで、その撮影画像とは異なる画像データを、画面表示することができる。
【００１１】
さらに、本発明に係る表示画像制御装置の一つの態様によれば、異なる画像データとして、定型画像データを記憶する定型画像データ記憶手段を備え、表示制御手段は、拒否要求データを受信した場合、定型画像データ記憶手段が記憶する定型画像データを画面表示することで非表示制御を行うことを特徴とする。
【００１２】
本発明によれば、表示制御手段は、前記拒否要求データを受信した場合、定型画像データ記憶手段が記憶する定型画像データを画面表示することで非表示制御を行う。これにより、拒否要求データを受信した場合、例えば、定型画像データが画面表示されるため、表示拒否要求があったことを画面上で容易に認識することができる。
【００１３】
また、本発明に係る表示画像制御装置の一つの態様によれば、拒否要求データの受信に応じて、非表示制御を行っていることを知らせる非表示制御通知を前記撮影装置に送信する通知送信手段を備えることを特徴とする。
【００１４】
本発明によれば、例えば、拒否要求データを送信した撮影装置側において、画面にその撮影装置が送信した撮影画像データが表示されていないことを容易に把握することができる。
【００１５】
加えて、本発明に係る表示画像制御装置の一つの態様によれば、表示制御手段は、非表示制御を行ってから一定期間経過すると、一旦その非表示制御を解除することを特徴とする。
【００１６】
本発明によれば、拒否要求データに応じて、撮影装置から受信した撮影画像データが画面表示されないことによる弊害を防止することができる。
【発明の効果】
【００１７】
本発明によれば、表示制御手段が、拒否要求データを受信した場合、撮影画像データ受信手段で受信した撮影画像データを画面表示させない非表示制御を行う。これにより、例えば、撮影装置が撮影して得られた撮影画像データを、画面表示することを望まない場合、拒否要求データを送信することで、その撮影画像データを画面表示しないことができることになって、撮影装置が撮影して得られた撮影画像データの画面表示を適切に制御することができ、被撮像者のプライバシーを保護することができる。
【発明を実施するための最良の形態】
【００１８】
以下、本発明の実施の形態（以下、実施形態とする）について、図面を用いて説明する。本実施形態は、画像表示システムとして、病院の病室等に居る患者等の状況を、モニタで離れた場所でも確認可能な遠隔監視システムについて説明する。
【００１９】
まず、図１において、遠隔監視システムのネットワーク全体のシステム構成概略について説明する。
【００２０】
撮像装置としての無線カメラ１１５、１１６は、無線アクセスルータ１０４に無線接続され、宅内状況、診療介護状況をそれぞれモニタする。
【００２１】
また、監視ＩＰカメラ１１３は、固有ＩＰアドレスを保有し、イーサネット（登録商標）で接続され管理カメラとして機能する。表示制御装置１０２は、カメラ画像を監視モニタ群のディスプレイに表示する。また、モニタ画像は、インターネットＩＮで携帯端末装置からプライバシー保護中以外は見ることができる。
【００２２】
携帯端末装置１０１は、インターネットＩＮを介して表示制御装置１０２と接続され、監視用ＩＰカメラ１１３、無線アクセスルータ１０４と無線接続された宅内用モニタカメラ１１５、診療介護用カメラ１１６などの撮影装置が撮影した状況映像を画像データとして受信して、画像表示する装置である。
【００２３】
ここで、監視ＩＰカメラ１１３は、イーサネット（登録商標）ＩＰで接続される。診療介護用カメラ１１６は、例えば病院の看護ステーション（ナースセンタ）に設置され病棟内の、例えば個別ベッド毎に設置され、その設置された場所の状況映像を撮影する装置である。すなわち、診療介護用カメラ１１６は、病棟内にいる患者等のプライバシーに関わる情報が含まれることがあるエリアの映像を撮影する装置の一例である。
【００２４】
監視モニタ群１０７は、監視用ＩＰカメラ１１３、宅内用カメラ１１５、診療介護用カメラ１１６などが撮影した状況映像をそれぞれ画面上に表示する表示装置である。
【００２５】
無線モニタ１０８は、無線アクセスルータ１０４と無線接続され、看護士が席を離れる場合に、携帯することが可能な移動モニタであり(但し、所定の設置場所に固定的に設置するモニタでもよい)、このモニタ１０８上にも、監視用ＩＰカメラ１１３、宅内用カメラ１１５、診療介護用カメラ１１６などが撮影した状況映像が表示される。
【００２６】
このように構成された遠隔監視システムによれば、各カメラが撮影した状況映像を、所望の場所に設置された各無線モニタ１０８で、確認することができる。しかし、上述したように各カメラ１１５，１１６，１１３が撮影する状況映像の中には、患者等のプライバシーを保護するために、監視モニタ群１０７に映像表示することを制限することが望ましい場合がある。
【００２７】
そこで、次に、図２を用いて、病院における診療看護監視システムに本実施形態を採用した場合における、患者等の要求に応じて、診療介護用カメラ１１６が撮影する状況映像の監視モニタ群１０７の表示機能を制限する表示制御システムについて説明する。
【００２８】
図２は、本実施形態を病院における診療看護監視システムに適用した場合における遠隔操作による表示制御システムのシステム概略構成図である。
【００２９】
本実施形態において特徴的なことは、診療介護用カメラ１１６として、病室＃１０１、＃２０１或いは＃３０１に、通常の無線カメラ〈以下単に、「カメラ」と称する〉１０５，１０６および監視用ＩＰカメラ１０３が設置されており、これらカメラが設置されたエリア内に、プライバシー保護要求指示信号を出すためのボタン１１２が設けられている。
【００３０】
そして、ボタン１１２が出したプライバシー保護要求指示信号を、リクエストサーバ１０９が受信すると、リクエストサーバ１０９からの指示信号により、表示制御装置１０２が監視モニタ群１０７を構成する各モニタへの映像表示を、カメラ１０５，１０６或いは１０３が撮影した通常の画像から予め用意された雛型画像に切り替えることで、カメラ１０５，１０６或いは１０３が撮影した通常の画像が各モニタに表示されないため、カメラが設置されたエリア内にいる患者等のプライバシーを保護することができることになる。
【００３１】
さらに、本実施形態のおける遠隔監視システムのシステム構成について、図２を用いて詳しく説明する。
【００３２】
図２において、病室＃１０１、＃２０１、＃３０１にはそれぞれ、診療介護用カメラ１１６が設置されている。そして、診療介護用カメラ１１６は、各病室＃１０１、＃２０１、＃３０１毎に設置されたカメラ１０５，１０６および監視用ＩＰカメラ１０３により構成されている。
【００３３】
そして、カメラ１０５、１０６および監視用ＩＰカメラ１０３には、監視モニタ群１０７の各モニタ上に表示されている画像状況を確認するための点灯表示ランプとスピーカ（図示せず）が装備されている。詳しくは後述する。
【００３４】
また、監視モニタ群１０７は、表示制御装置１０２と接続され、病室＃１０１、＃２０１、＃３０１にそれぞれ設置されたカメラが撮影した状況映像などが画面上に表示している。
【００３５】
イーサネット（登録商標）１１０は、ＩＰプロトコルで無線アクセスルータ１０４、表示制御装置１０２、ＩＰカメラ１０３、リクエストサーバ１０９を結ぶ通信媒体である。
【００３６】
リクエストサーバ１０９は、リクエストライン１１１により、各病室各病室＃１０１、＃２０１、＃３０１に設置されたボタン１１２に接続され、ボタン１１２からの信号線信号の処理を行う。
【００３７】
なお、リクエストライン１１１は、病室数の複数ラインで構成される。本実施形態では、ボタン１１２を、既設のナースコールボタンと併用するため、リクエストライン１１１は、通常のナースコールボタンの信号線信号の処理も行う。
【００３８】
これにより、ボタン１１２からのプライバシー保護要求指示信号は、リクエストサーバ１０９で識別処理される。
【００３９】
そして、プライバシー保護要求に応じて、監視モニタ群１０７の各モニタ上にカメラ１０５，１０６或いは監視ＩＰカメラ１０３が撮影した画像とは異なる雛型画像が表示されている場合、カメラ１０５，１０６或いは監視ＩＰカメラ１０３に設置された点灯表示ランプ(不図示)を、通常時の赤色から緑色に変更点灯して、プライバシー保護中であることをプライバシー保護要求をした患者等に通知する。また、患者等はスピーカ音による確認も行えるように構成すれば、患者等はカメラ方向を向かず、例えば寝たままで、プライバシー保護中であることを確認することができる。
【００４０】
プライバシー保護期間中、表示制御装置１０２は、監視モニタ群１０７の各モニタにプライバシー保護状態である旨の文言メッセージ、又は保護状態中イメージ画像を自動送出するように構成すれば、看護ステーションでは、機器障害ではないことを確認できる。
【００４１】
本実施形態では、病院医療機器への無線２．４ＧＨｚ帯等（無線障害）の影響を考慮し、極力信号線を用いた。
【００４２】
ここで、さらに本実施形態の特徴的な構成要素の一つであるリクエストサーバ１０９の構成について、図３のブロック構成図を用いて説明する。
【００４３】
図３において、システム制御部２０１は、リクエストサーバ１０９全体を制御するモジュールであり、具体的には、ＣＰＵとメモリとで構成される。
【００４４】
リクエスト検出部２０２は、ボタン１１２から送出されたプライバシー保護要求指示信号をリクエストライン１１１を介して検出するモジュールである。
【００４５】
雛型画像部２０３は、プライバシー保護要求に応じて、監視モニタ群１０７の各モニタに表示する予め定められた雛型画像、つまりカメラが撮影した状況映像が示す画像とは異なる画像を、記憶するモジュールである。
【００４６】
動作表示部２１５は、カメラ１０５，１０６或いは監視ＩＰカメラ１０３に搭載された点灯表示ランプの点灯表示の動作や、スピーカの音声出力の制御信号を出力する。
【００４７】
復帰タイマ部２１６は、プライバシー保護要求に応じて、監視モニタ群１０７の所定のモニタ上に、例えば、カメラ１０６が撮影した状況映像とは異なる画像として、プライバシー保護状態である旨の文言メッセージ、又は保護状態中イメージ画像が、表示されている時間を測定する。
【００４８】
そして、その測定時間が、ある一定時間経過した後に、復帰タイマ部２１６は、監視モニタ群１０７のモニタ上に表示する画像を、カメラ１０６が撮影した状況映像に切り替える画像復帰指令信号を、表示制御装置１０２に送信する。
【００４９】
その画像復帰指令信号を受信した表示制御装置１０２は、カメラ１０６が撮影した状況映像にモニタ上の画像を切り替えるように制御する。
【００５０】
また、通信部２０４は、通信媒体であるイーサネット（登録商標）２０５を介して、ＩＰカメラ１０３、無線アクセスルータ１０４との通信の制御を行うインタフェースモジュールである。
【００５１】
このように構成された本実施形態によれば、ボタン１１２から送出されたプライバシー保護指示信号に基づき、雛型画像部２０３に記憶された雛型画像を、表示制御装置１０２が取得して、監視モニタ群１０７の各モニタ上にカメラが撮影した画像とは異なる雛型画像を表示させる。
【００５２】
さらに、動作表示部２１５は、表示制御装置１０２により、雛型画像が監視モニタ群０７の各モニタ上に表示されていることを検知すると、カメラ１０５、１０６或いは監視ＩＰカメラ１０３に搭載された点灯表示ランプの点灯表示の動作や、スピーカの音声出力の制御信号を出力する。
【００５３】
そして、その制御信号を受けて、各カメラ１０５、１０６或いは監視ＩＰカメラ１０３の点灯表示ランプは、赤色点灯から緑色点灯に切り替わり、監視モニタ群１０７の各モニタ上に雛型画像が表示されていることを患者等に通知する。
【００５４】
さらに、カメラ１０５、１０６或いは監視ＩＰカメラ１０３に搭載されたスピーカから音声でもその旨を通知する。
【００５５】
これにより、個人プライバシーが保護されていることを患者等は確認することができるため、心の安らぎを得ることができる。
【００５６】
また、復帰タイマ部２１６により送出される画像復帰信号指令に基づき、監視モニタ群１０７の各モニタ上に表示される画像が、一定期間経過後に、雛型画像から通常のカメラ１０５、１０６或いは監視ＩＰカメラ１０３が撮影した状況映像に切り替わるため、モニタ動作に支障をきたさない。
【００５７】
続いて、本実施形態のもう一つの特徴的な構成要素である表示制御装置１０２について、図４のブロック構成図を用いて説明する。
【００５８】
監視モニタ群１０７は、各カメラ１０５、１０６或いは監視ＩＰカメラ１０３が撮影した状況映像をそれぞれ表示する表示装置である。
【００５９】
ここで、監視モニタ群１０７は、物理的に別個のモニタを用いても良いし、一画面上でソフト的に画面分割を行ってもよい。
【００６０】
システム制御部２０６は、表示制御装置全体を制御するモジュールである。
【００６１】
画像処理部２０７は、画像再生と生成処理を行うモジュールである。メモリ部２１１は、受信したモニタ画像等を記憶する記憶モジュールである。
【００６２】
Ｗｅｂサーバ部２１７は、インターネットプロトコルによる通信制御を行うモジュールである。
【００６３】
ＦＴＰＤ（ＦＴＰデーモン）２１０は、カメラ転送画像プロトコルを実行するモジュールである。画像切替部２０８は、監視モニタ群１０７の各モニタに表示する画像の切り替え制御を行うモジュールであり、ＩＰカメラ１０３からのプライバシー保護要求に応じて、ＩＰカメラ１０３から受信したモニタ画像から雛型画像部２０３に記憶された雛型画像にモニタの表示画像を切り替える。
【００６４】
通信部２０９は、イーサネット（登録商標）２１４とＴＡ（ターミナルアダプタ）２１３との間の通信を行うモジュールである。
【００６５】
なお、イーサネット（登録商標）２０５とイーサネット（登録商標）２１４は、ＨＵＢ等の中継装置によって接続されている。
【００６６】
これにより、カメラ画像フォーマットデータ（モーションＪＰＥＧ等）は画像処理部２０７、表示処理部２１２を経て監視モニタ群１０７の各モニタに表示され、例えば病院の看護ステーションで患者の様子をみることができる。
【００６７】
また、プライバシー保護要求がなされると、監視モニタ群１０７の各モニタのモニタ画像はプライバシー保護期間中の雛型画像表示に切り替わり、個人プライバシーが保護される。カメラ１０５，１０６或いは監視ＩＰカメラ１０３では動作表示と音により保護期間中識別ができるのでモニタ対象者も心の安らぎを得ることができる。
【００６８】
図７に示す情報テーブルは、ＩＰカメラアドレスと監視モニタ群１０７を個別識別するディスプレイ表示番号と無線ＩＰアドレスと雛型画像部２０３の画像メモリ番号とリクエストライン毎の個別識別番号との対応付けを示す情報が示されている。
【００６９】
そして、カメラから送信されるプライバシー保護要求に含まれるカメラ情報、ディスプレイ情報、雛型画像情報、リクエストライン情報に基づき、表示制御装置１０２は、カメラ１０５，１０６或いは監視ＩＰカメラ１０３から送信されたモニタ画像から雛型画像に表示切り替えをする。
【００７０】
これにより、ベッド近傍に設けられた既設のナースコールボタンから発信されるプライバシー保護要求指示信号を検知して、現在表示されているモニタ画像を雛型画像に切り替えることができる。
【００７１】
また、図２で示すカメラ１０５、カメラ１０６からのプライバシー保護要求も無線アクセスルータ経由で、リクエストサーバ１０９に転送可能であり、有線の場合と同様に、雛型画像に表示切り替えをすることができる。
【００７２】
ここで、図２を用いてプライバシー保護要求とプライバシー保護期間中の動作についてさらに、説明する。
【００７３】
無線カメラ１０５、１０６、ＩＰカメラ１０３はモニタ対象のプライバシー保護要求時までは、モニタ画像を無線又はイーサネット（登録商標）経由で表示制御装置１０２へ転送する。通信プロトコルとして、無線系は８０２．１１ｂ、イーサネット（登録商標）では８０２．３が使用される。
【００７４】
ボタン（ナースコールボタン）１１２は、リクエストライン１１１で、各々リクエストサーバ１０９と接続される。
【００７５】
リクエストサーバ１０９は、リクエスト検出部２０２で、ボタン１１２からのプライバシー保護要求指示信号を検出・識別する（リクエストライン識別Ａ／Ｂ／Ｃ／ｎ）。
【００７６】
リクエストサーバ１０９は、情報テーブル２１８により、ナースコールボタン１１２が押下されたＩＰカメラアドレス又は無線ＩＰアドレス、雛型画像メモリ番号、ディスプレイ表示番号等の基本情報を確定する。
【００７７】
復帰タイマ部２１６は、所定のプライバシー保護復帰期間が設定され、満了時プライバシー保護を解除する。動作表示部２１５は、ＩＰカメラ１０３の動作表示点灯、音の指示を実行する。
【００７８】
次に、図３および図４を用いてさらに詳しく説明する。
【００７９】
通常時ＩＰカメラ１０３が撮影したモニタ画像は、カメラのＦＴＰ機能により一定時間ごとに表示制御装置１０２のＦＰＴＤ２１０に転送され、メモリ部２１１に一旦記憶され、画像処理部２０７にて、モーションＪＰＥＧまたは、ＭＰＥＧエンコーダで画像再生され、表示処理部２１２で、アナログＲＧＢ変換された後、図７で示した監視モニタ群の所定モニタに表示される。
【００８０】
プライバシー保護期間中は、前述したリクエストライン１１１、リクエスト検出部２０２、情報テーブル２１８の作用により、リクエストサーバ１０９における雛型画像部２０３、雛型画像メモリ番号が指定され画像データは、イーサネット（登録商標）２０５及びイーサネット（登録商標）２１４を経由して、画像処理部２０７へ転送され、エンコードされた後、表示処理部２１２、画像切替部２０８により監視モニタ群１０７のディスプレイ上にプライバシー保護期間中の雛型画像が切り替え表示される。
【００８１】
表示内容は図示しないが、アニメーション画像あるいは文言メッセージ（例えば、「ただいま画像はプライバシー保護要求中」等の表示）が表示され、この結果、ナースセンタにいるモニタ管理者は故障でないことが明確になり、所定時間は、カメラが撮影した通常画像を見ることができない。
【００８２】
復帰に際しては、復帰タイマ部２１６で時間監視され、プライバシー保護期間は、所定時間経過後に、通常画像に自動復帰されるので、長時間通常画像がモニタ表示されないことにより診療介護や監視等に悪影響を及ぼさない構成にすることができる。
【００８３】
通信部２０９は、ＴＡ２１３と通信プロトコルを制御し、イーサネット（登録商標）ＩＮ及びインターネット経由で接続された携帯端末装置１０１にモニタ監視サービスを提供する。
【００８４】
次に、図３および図４に示すブロック構成図を参照しながら、図５および図６に示すフローチャート図を用いて、さらに本実施形態の動作フローについて説明する。
【００８５】
図５において、まず、ＩＰカメラ１０３が、所定の撮影エリアの撮影を開始する（ＳＴ４０１）。ＩＰカメラ１０３が撮影したモニタ画像が、ＦＴＰ機能によりＦＴＰファイルとして転送される（ＳＴ４０２）。
【００８６】
そして、ＦＴＰＤ２１０が、イーサネット（登録商標）２０５およびイーサネット（登録商標）２１４を経由して、転送されたＦＴＰファイルをデーモンとして受信する（ＳＴ４０３）。
【００８７】
画像処理部２０７は、画像圧縮データを復元処理する（ＳＴ４０４）。
【００８８】
表示処理部２１２は、画像処理部２０７で復元処理された復元画像を、監視モニタ群１０７の各モニタ上に表示する（ＳＴ４０５）。
【００８９】
その後、リクエスト検出部２０２が、ボタン１１２から出力されたプライバシー保護要求指示信号を検出したか否を判定する（ＳＴ４０６）。
【００９０】
判定の結果、指示信号を検出しなかった場合、携帯端末装置からのインターネットＩＮ経由でのモニタ表示動作が、プライバシー保護期間ディセーブルされたことを示す。
【００９１】
プライバシー保護期間ディセーブル中はインターネット経由表示ができることを示す。
【００９２】
画像処理部２０７、ＧＩＦコーダ機能により、携帯端末装置１０１への画像表示のサイズと圧縮変換をする（ＳＴ４１１）。また、携帯端末装置１０１へ画像表示する（ＳＴ４１４）。
【００９３】
一方、判定の結果、指示信号を検出した場合、表示制御装置１０２は、プライバシー保護要求指示信号に含まれる内容を、情報テーブルと照らし合わせ、複数のボタン１１２のいずれから出力された指示信号であるかを識別選択する（ＳＴ４０８）。
【００９４】
さらに、表示制御装置１０２は、情報テーブルの内容から、雛型画像部２０３に記憶された雛型画像の中から所定の雛型画像を選択し、画像処理部２０７、表示処理部２１２、画像切替部２０８、を経て、監視モニタ群１０７に選択した雛形画像をひゅ時させる（ＳＴ４１０）。
【００９５】
続いて、復帰タイマ部２１６において、プライバシー保護の雛型画像のモニタ表示時間が所定時間を経過したか否かを判定する（ＳＴ４１２）。
【００９６】
判定の結果、所定時間経過した場合、プライバシー保護の雛型画像から通常のカメラが撮影した画像に切り替え表示する（ＳＴ４１３）。
【００９７】
次に、カメラ１０５、１０６の動作について、図６のフローチャートを用いて説明する。
【００９８】
まず、カメラ１０５，１０６は、所定の撮影エリアの撮影を開始する（ＳＴ５０１）。カメラ１０５、１０６と無線アクセスルータ１０４とがセットとなる。
【００９９】
無線帯域は２．４ＧＨｚで、本実施形態では、診療介護でのモニタを一例としているため、医療機器への無線障害を考慮する必要がある。
【０１００】
そして、カメラ１０５，１０６は、撮影したモニタ画像を、無線アクセスルータ１０４へ送信する（ＳＴ５０２）。
【０１０１】
無線アクセスルータ１０４は、受信したモニタ画像を、通信プロトコル、下位層プロトコル８０２．１１ｂ、上位層アプリケーション作用により、無線カメラモニタ画像を表示制御装置１０２へ送信する（ＳＴ５０３）。
【０１０２】
表示制御装置１０２へ送信された無線カメラモニタ画像は、画像処理部２０７でエンコードされる（ＳＴ５０４）。画像処理部２０７は、エンコードした無線カメラモニタ画像を表示処理部２１２、画像切替部２０８を介して、監視モニタ群１０７に表示する（ＳＴ５０５）。
【０１０３】
続いて、カメラ１０５，１０６からプライバシー保護要求指示があるか否かの判定をする（ＳＴ５０６）。
【０１０４】
カメラ１０５，１０６からのプラバシー保護要求指示信号の出力方法としては、例えば、ナースコールボタンと併用するボタン１１２を使用する方法や、カメラ１０５，１０６に接続したボタンを使用する方法がある。
【０１０５】
カメラ１０５，１０６に接続したボタンによる方法の場合は、無線カメラ接続ボタン（図示せず）を押下することによって、カメラ１０５，１０６はＨＴＭＬを用いて、無線ネットワークを介して、プライバシー保護要求指示信号をリクエストサーバ１０９に出力する。
【０１０６】
リクエストサーバ１０９は、プライバシー保護要求指示信号を検知すると、無線ＭＡＣアドレスから所定無線ＩＰアドレスを検出して、図７に示す情報テーブルを参照し、雛型画像部２０３に記憶された雛型画像を選択する（ＳＴ５０８）。
【０１０７】
選択された雛型画像は、画像処理部２０７、表示処理部２１２、画像切替部２０８を経て監視モニタ群１０７に表示される（ＳＴ５１０）。
【０１０８】
続いて、復帰タイマ部２１６において、プライバシー保護の雛型画像のモニタ表示時間が所定時間を経過したか否かを判定する（ＳＴ５１２）。
【０１０９】
判定の結果、所定時間経過した場合、プライバシー保護の雛型画像から通常のカメラが撮影した画像に切り替え表示する（ＳＴ５１３）。
【０１１０】
リクエストサーバ１０９が、プライバシー保護要求指示信号を受信しなかった場合は、携帯端末装置からのインターネットＩＮ経由でのモニタ表示動作が、プライバシー保護期間ディセーブルされたことを示す。
【０１１１】
プライバシー保護期間ディセーブル中はインターネットＩＮ経由で、表示ができることを示す。画像処理部２０７、ＧＩＦコーダ機能により、携帯端末装置１０１への画像表示のサイズと圧縮変換をする（ＳＴ５１１）。携帯端末装置１０１へ画像表示する（ＳＴ５１４）。
【０１１２】
本実施形態によれば、診療介護モニタ１１６でのモニタカメラ画像をプライバシー保護要求により、所定時間、カメラが撮影したモニタ画像表示から、文言事情報や保護期間中イメージ画像への表示画像の切り替えを行い、機器障害時との区別、カメラの状態表示点灯と音で認知、さらにモニタ対象者のプライバシー保護することで、精神的な安らぎを授受できる。
【０１１３】
なお、本実施形態では、プライバシー保護期間中に表示する画像として、予めリクエストサーバ１０９に記憶された雛型画像を表示する例を示した。
【０１１４】
しかし、プライバシー保護期間中監視モニタ群１０７の各モニタ上にプライバシー保護要求指示を出した患者等の状況映像が表示されなければよいため、予めリクエストサーバに記憶された雛型画像の代わりに、例えばＴＶから受信した画像や、Ｗｅｂから受信した画像、他のカメラが撮影した画像等を表示してもよい。
【０１１５】
その場合、看護ステーション等にいる監視者が、プライバシー保護期間中であることを認識できるように、画面上にプライバシー保護期間中である旨のメッセージを別途で表示してもよい。また、本実施形態では、表示制御装置１０２とリクエストサーバ１０９とを別々の装置構成としたが、これらを一つの装置として構成しても構わない。
【０１１６】
以上、本実施形態では、診療介護を一例に示したが、モニタ対象者の個人プライバシー保護が必要な、例えば、学校、保育園、家庭内等でのモニタ表示でも利用することができる。
【０１１７】
また、プライバシー保護とは逆にＲＦタグ（無線タグ）保持者が接近した場合だけ、積極的に表示する居所システムは、リクエストボタンの押下がＲＦ無線タグに変わるだけである。
【０１１８】
さらに、上記の実施の形態では、カメラ１０５，１０６或いは監視ＩＰカメラ１０３の画像を監視モニタ群１０７に表示しないようにして、監視モニタ群１０７にはダミーデータを表示して、プライバシー保護を図るようにしたが、これに限定されるものでなく、このプライバシ保護期間中、カメラ１０５，１０６或いは監視ＩＰカメラ１０３のシャッタ部分をと知るようにして、監視画面を送信できないようにしてもよい。
【産業上の利用可能性】
【０１１９】
本発明は、表示制御手段が、拒否要求データを受信した場合、撮影画像データ受信手段で受信した撮影画像データを画面表示させない非表示制御を行う。これにより、例えば、撮影装置が撮影して得られた撮影画像データを、画面表示することを望まない場合、拒否要求データを送信することで、その撮影画像データを画面表示しないことができることになって、撮影装置が撮影して得られた撮影画像データの画面表示を適切に制御することができ、被撮像者のプライバシーを保護することができることから、家庭用等の防犯監視装置或いは病院等の監視装置に用いる表示画像制御装置、画像表示システムおよび表示画像制御方法等に好適である。
【図面の簡単な説明】
【０１２０】
【図１】本発明に係る遠隔監視システムのネットワーク全体を示すシステム概略構成図
【図２】本発明にかかる実施の形態を採用した画像表示システムのブロック構成図
【図３】図２におけるリクエストサーバのブロック構成図
【図４】図２における表示制御装置のブロック構成図
【図５】本発明にかかる実施の形態における監視ＩＰカメラを用いた場合の画像表示システムの動作フローを示すフローチャート図
【図６】同じく、本発明にかかる実施の形態における無線カメラを用いた場合の画像表示システムの動作フローを示すフローチャート図
【図７】本発明にかかる実施の形態を採用した画像表示システムにおける情報テーブルの一例を示す図
【符号の説明】
【０１２１】
１０１  携帯端末装置
１０２  表示制御装置
１０３  ＩＰカメラ
１０４  無線アクセスルータ
１０５  カメラ(無線カメラ)
１０６  カメラ(無線カメラ)
１０７  監視モニタ群
１０８  無線モニタ
１０９  リクエストサーバ
１１０  イーサネット（登録商標）
１１１  リクエストライン
１１２  ボタン
１１３  監視ＩＰカメラ
１１５  宅内用カメラ
１１６  診療介護用カメラ
２０１  システム制御部
２０２  リクエスト検出部
２０３  雛型画像部
２０４  通信部
２０５  イーサネット（登録商標）
２０６  システム制御部
２０７  画像処理部
２０８  画像切替部
２０９  通信部
２１０  ＦＴＰＤ
２１１  メモリ部
２１２  表示処理部
２１３  ＴＡ
２１４  イーサネット（登録商標）
２１５  動作表示部
２１６  復帰タイマ部
２１７  Ｗｅｂサーバ部
２１８  情報テーブル
【図１】
2005176228.tif 000003
【図２】
2005176228.tif 000004
【図３】
2005176228.tif 000005
【図４】
2005176228.tif 000006
【図５】
2005176228.tif 000007
【図６】
2005176228.tif 000008
【図７】
2005176228.tif 000009